(57)【要約】【課題】誘導案内の必要性が低い高速道路などで有益な情報を出力することにより、画面や時間などの資源を有効活用し安全性や経済性にも貢献するナビゲーションの技術を提供すること。【解決手段】情報記憶手段２１は、ナビゲーション用の地図データおよびそれ以外の特定情報データ（例えば、広告情報又は地域情報）を予め記憶し、データ配信部２２は、車載機Ｃから前記データ要求を受信した場合に、その情報記憶手段２１に記憶されたデータの中から選択されたデータを配信データとして車載機Ｃに対して配信する。判定選択部１３又は２３は、情報サーバＳ又は車載機Ｃのいずれか一方にあればよく、予め設定された判定基準に従い、表示モードが通常モードかハイウェイモードかを判定して、配信又は表示の対象として、地図表示区間の場合には前記ナビゲーション用の地図データを選択し、地図省略区間の場合には前記特定情報データを選択する。【選択図】図１
2005265715.tif 000002
【特許請求の範囲】
【請求項１】
情報サーバと、
前記情報サーバから所定の通信手段を用いて、少なくとも地図データを含むナビゲーション情報を取得するナビゲーション端末装置と、
を含むナビゲーションシステムにおいて、
前記ナビゲーション端末装置が前記情報サーバに、誘導案内ポイントの間隔又は対象道路区間に設定された地図表示モードの属性情報から地図表示の必要性が低いと判断できる所定道路に関する情報を要求した場合、前記地図データ以外の少なくとも広告情報又は地域情報のいずれかを含む特定情報データをそのナビゲーション端末装置に送信する手段を、前記情報サーバがコンピュータにより実現することを特徴とする通信ナビゲーションシステム。
【請求項２】
情報サーバとの通信により、少なくとも地図データを含む所定のナビゲーション情報を取得するナビゲーション端末装置において、
誘導案内ポイントの間隔又は対象道路区間に設定された地図表示モードの属性情報から地図表示の必要性が低いと判断できる道路を走行中である場合、前記情報サーバに対して前記地図データ以外の少なくとも広告情報又は地域情報のいずれかを含む特定情報データの送信を要求する手段を、コンピュータが実現することを特徴とするナビゲーション端末装置。
【請求項３】
コンピュータを用いて通信ネットワークを介して情報サーバからナビゲーション端末装置にデータを配信する通信ナビゲーション方法において、
前記ナビゲーション端末装置から前記情報サーバに、対象道路区間のナビゲーション用の地図データを要求するデータ要求を送信するデータ要求ステップと、
前記情報サーバにより、前記ナビゲーション端末装置から前記データ要求を受信した場合に、ナビゲーション用の地図データおよびそれ以外の特定情報データを記憶した記憶手段を用いて、この記憶手段に記憶されたデータの中から選択されたデータを配信データとしてナビゲーション端末装置に対して配信するデータ配信ステップと、
前記ナビゲーション端末装置により、前記情報サーバから配信された前記配信データを表示データとして表示するデータ表示ステップと、
前記データ要求ステップ後に前記情報サーバにより、または、前記データ配信ステップ後に前記ナビゲーション端末装置により、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択ステップと、
を含む処理をコンピュータが行うことを特徴とする通信ナビゲーション方法。
【請求項４】
前記データ配信ステップは、前記情報サーバにより、前記ナビゲーション端末装置に対し、前記ナビゲーション用の地図データおよび前記特定情報データの両方を前記配信データとして配信するステップを含み、
前記判定選択ステップは、前記データ配信ステップ後に、前記ナビゲーション端末装置により、前記対象道路区間で表示するデータを選択するステップを含み、
前記データ表示ステップは、前記ナビゲーション端末装置により、前記判定選択ステップで選択されたデータを前記表示データとして前記対象道路区間で表示するステップを含む、
ことを特徴とする請求項３に記載の通信ナビゲーション方法。
【請求項５】
前記判定選択ステップは、前記データ要求ステップ後に、前記情報サーバにより、前記ナビゲーション端末装置に配信するデータを選択するステップを含み、
前記データ配信ステップは、前記情報サーバにより、前記判定選択ステップで選択されたデータを前記配信データとして前記ナビゲーション端末装置に配信するステップを含む、
ことを特徴とする請求項３に記載の通信ナビゲーション方法。
【請求項６】
前記ナビゲーション端末装置から前記情報サーバに、前記対象道路区間が前記地図表示区間と前記地図省略区間のいずれであるかを示す区間情報を送信する区間情報送信ステップを含み、
前記判定選択ステップは、前記情報サーバにより、前記ナビゲーション端末装置から前記区間情報を受信した場合に、この区間情報に基づいて、前記対象道路区間が前記地図表示区間と前記地図省略区間のいずれであるかを判定するステップを含む、
ことを特徴とする請求項５に記載の通信ナビゲーション方法。
【請求項７】
前記データ要求ステップは、前記区間情報送信ステップを含む、
ことを特徴とする請求項６に記載の通信ナビゲーション方法。
【請求項８】
前記データ要求は、前記区間情報を含む、
ことを特徴とする請求項７に記載の通信ナビゲーション方法。
【請求項９】
前記情報サーバにより、前記ナビゲーション端末装置から前記データ要求を受信した場合に、そのナビゲーション端末装置に対して前記区間情報の確認要求を送信する確認要求ステップを含み、
前記区間情報送信ステップは、前記ナビゲーション端末装置により、前記情報サーバから前記確認要求を受信した場合に、その情報サーバに対して前記区間情報を送信するステップを含む、
ことを特徴とする請求項６に記載の通信ナビゲーション方法。
【請求項１０】
前記特定情報データは、広告情報、地域情報、の少なくとも一方を含むデータである、
ことを特徴とする請求項３から９のいずれか一項に記載の通信ナビゲーション方法。
【請求項１１】
前記広告情報は、自車位置の前途方向所定範囲内に位置する個別具体的事業における、得意な商品もしくはサービスのアピール、通常よりも有利な条件による商品もしくはサービスの提供のアピール、又は、特定の期間もしくは顧客類型に限定の商品もしくはサービスのアピールであることを特徴とする請求項１０記載の通信ナビゲーション方法。
【請求項１２】
前記地域情報は、自車位置の前途方向所定範囲内に位置する所定の地域又は名勝旧跡における、見どころ・物産もしくはサービス、又は催事に関するアピールであることを特徴とする請求項１０又は１１記載の通信ナビゲーション方法。
【請求項１３】
コンピュータを用いて通信ネットワークを介して情報サーバからナビゲーション端末装置にデータを配信する通信ナビゲーションシステムにおいて、
前記ナビゲーション端末装置は、前記情報サーバに対して対象道路区間のナビゲーション用の地図データを要求するデータ要求を送信するデータ要求手段と、このデータ要求に応答して情報サーバから配信された配信データを表示データとして表示するデータ表示手段と、をコンピュータで実現し、
前記情報サーバは、ナビゲーション用の地図データおよびそれ以外の特定情報データを記憶した記憶手段と、前記ナビゲーション端末装置から前記データ要求を受信した場合に、その記憶手段に記憶されたデータの中から選択されたデータを配信データとしてナビゲーション端末装置に対して配信するデータ配信手段と、をコンピュータで実現し、
前記情報サーバまたは前記ナビゲーション端末装置は、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段を、コンピュータで実現する、
ことを特徴とする通信ナビゲーションシステム。
【請求項１４】
前記データ配信手段は、前記ナビゲーション端末装置に対し、前記ナビゲーション用の地図データおよび前記特定情報データの両方を前記配信データとして配信するように構成され、
前記判定選択手段は、前記ナビゲーション端末装置に設けられており、前記対象道路区間で表示するデータを選択するように構成され、
前記データ表示手段は、前記判定選択手段により選択されたデータを前記表示データとして前記対象道路区間で表示するように構成されている、
ことを特徴とする請求項１３に記載の通信ナビゲーションシステム。
【請求項１５】
前記判定選択手段は、前記情報サーバに設けられており、前記ナビゲーション端末装置に配信するデータを選択するように構成され、
前記データ配信手段は、前記判定選択手段により選択されたデータを前記配信データとして前記ナビゲーション端末装置に配信するように構成されている、
ことを特徴とする請求項１３に記載の通信ナビゲーションシステム。
【請求項１６】
前記ナビゲーション端末装置は、前記情報サーバに対して、前記対象道路区間が前記地図表示区間と前記地図省略区間のいずれであるかを示す区間情報を送信する区間情報送信手段を前記コンピュータで実現し、
前記判定選択手段は、前記情報サーバに設けられており、前記ナビゲーション端末装置から前記区間情報を受信した場合に、この区間情報に基づいて、前記対象道路区間が前記地図表示区間と前記地図省略区間のいずれであるかを判定するように構成されている、
ことを特徴とする請求項１５に記載の通信ナビゲーションシステム。
【請求項１７】
前記データ要求手段は、前記区間情報送信手段を含む、
ことを特徴とする請求項１６に記載の通信ナビゲーションシステム。
【請求項１８】
前記データ要求は、前記区間情報を含む、
ことを特徴とする請求項１７に記載の通信ナビゲーションシステム。
【請求項１９】
前記情報サーバは、前記ナビゲーション端末装置から前記データ要求を受信した場合に、そのナビゲーション端末装置に対して前記区間情報の確認要求を送信してナビゲーション端末装置から区間情報を取得する確認要求手段を前記コンピュータで実現し、
前記区間情報送信手段は、前記情報サーバから前記確認要求を受信した場合に、その情報サーバに対して前記区間情報を送信するように構成されている、
ことを特徴とする請求項１６に記載の通信ナビゲーションシステム。
【請求項２０】
前記特定情報データは、広告情報、地域情報、の少なくとも一方を含むデータである、
ことを特徴とする請求項１３から１９のいずれか一項に記載の通信ナビゲーションシステム。
【請求項２１】
コンピュータを用いて通信ネットワークを介して情報サーバから配信されるデータを受信するナビゲーション端末装置において、
前記情報サーバに対して対象道路区間のナビゲーション用の地図データを要求するデータ要求を送信するデータ要求手段と、
前記データ要求に応答して、前記情報サーバから、ナビゲーション用の地図データおよびそれ以外の特定情報データを含むデータが配信される場合に、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段と、
前記判定選択手段により選択されたデータを表示データとして前記対象道路区間で表示するデータ表示手段と、
をコンピュータが実現することを特徴とするナビゲーション端末装置。
【請求項２２】
コンピュータを用いて通信ネットワークを介してナビゲーション端末装置にデータを配信する情報サーバにおいて、
ナビゲーション用の地図データおよびそれ以外の特定情報データを記憶した記憶手段と、
前記ナビゲーション端末装置から対象道路区間の前記ナビゲーション用の地図データを要求するデータ要求を受信した場合に、予め設定された判定基準に従い、その対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段と、
前記判定選択手段により選択されたデータを配信データとして前記ナビゲーション端末装置に配信するデータ配信手段と、
をコンピュータが実現することを特徴とする情報サーバ。
【請求項２３】
前記判定選択手段は、前記ナビゲーション端末装置から前記対象道路区間が前記地図表示区間と前記地図省略区間のいずれであるかを示す区間情報を受信した場合に、この区間情報に基づいて、前記対象道路区間が前記地図表示区間と前記地図省略区間のいずれであるかを判定するように構成されている、
ことを特徴とする請求項２２に記載の情報サーバ。
【請求項２４】
前記データ要求は、前記区間情報を含む、
ことを特徴とする請求項２３に記載の情報サーバ。
【請求項２５】
前記ナビゲーション端末装置から前記データ要求を受信した場合に、そのナビゲーション端末装置に対して前記区間情報の確認要求を送信してナビゲーション端末装置から区間情報を取得する確認要求手段、
を前記コンピュータで実現することを特徴とする請求項２３に記載の情報サーバ。
【請求項２６】
コンピュータを用いて通信ネットワークを介して情報サーバから配信されるデータを受信するナビゲーション端末装置に適用されるナビゲーションプログラムにおいて、
前記情報サーバに対して対象道路区間の前記ナビゲーション用の地図データを要求するデータ要求を送信するデータ要求機能と、
前記データ要求に応答して、前記情報サーバから、ナビゲーション用の地図データおよびそれ以外の特定情報データを含むデータが配信される場合に、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択機能と、
前記判定選択手段により選択されたデータを表示データとして前記対象道路区間で表示するデータ表示機能、
をコンピュータに実現させることを特徴とするナビゲーションプログラム。
【請求項２７】
コンピュータを用いて通信ネットワークを介してナビゲーション端末装置にデータを配信する情報サーバに適用されるサーバプログラムにおいて、
ナビゲーション用の地図データおよびそれ以外の特定情報データを記憶した記憶手段を用いて、
前記ナビゲーション端末装置から対象道路区間の前記ナビゲーション用の地図データを要求するデータ要求を受信した場合に、予め設定された判定基準に従い、その対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択機能と、
前記判定選択機能により選択されたデータを配信データとして前記ナビゲーション端末装置に配信するデータ配信機能、
をコンピュータに実現させることを特徴とするサーバプログラム。
【請求項２８】
前記判定選択機能は、前記ナビゲーション端末装置から前記対象道路区間が前記地図表示区間と前記地図省略区間のいずれであるかを示す区間情報を受信した場合に、この区間情報に基づいて、前記対象道路区間が前記地図表示区間と前記地図省略区間のいずれであるかを判定する機能を含む、
ことを特徴とする請求項２７に記載のサーバプログラム。
【請求項２９】
前記データ要求は、前記区間情報を含む、
ことを特徴とする請求項２８に記載のサーバプログラム。
【請求項３０】
前記ナビゲーション端末装置から前記データ要求を受信した場合に、そのナビゲーション端末装置に対して前記区間情報の確認要求を送信してナビゲーション端末装置から区間情報を取得する確認要求機能、
をコンピュータに実現させることを特徴とする請求項２８に記載のサーバプログラム。
【発明の詳細な説明】
【技術分野】
【０００１】
本発明は、誘導案内の必要性が低い高速道路などで有益な情報を出力することにより、画面や時間などの資源を有効活用し安全性や経済性にも貢献するナビゲーションの技術に関する。
【背景技術】
【０００２】
近年、コンピュータ技術の発達に従い自動車等で用いるナビゲーション装置の技術が普及している。これはＧＰＳやジャイロなどの情報から計算した自車位置を周辺地図とともに画面表示したり、さらに、指定された目的地への最適な経路も探索・表示し、経路に沿って進行方向などの誘導案内を合成音声や画面表示で出力する車載機である。ナビゲーション装置は二種に大別でき、一つは、前記各処理に使う道路地図データの保持やそれを使った経路探索が車載機で完結するタイプで、ここでオンボードと呼ぶ。もう一つは、道路地図データの提供や経路探索を携帯電話などの通信経由で外部のサーバシステムに委託するタイプで、ここで「通信カーナビ」と呼ぶ。
【０００３】
ところで、高速道路等の走行中は、インターチェンジ付近など施設の情報を表示すべき場所を除いてずっと道なりで、地図表示による誘導案内の必要性は低くなる。このため、従来のナビゲーション装置は、高速道路等の走行中は通常の詳細な地図表示ではなく「ハイウェイモード」と呼ばれる画面表示が用意され、ハイウェイモードでは、簡単な道路表示や地図とは関係ないアニメーション表示を行い、インターチェンジ等など表示する情報が発生すると発生した情報を表示していた（例えば、特許文献１参照）。
【特許文献１】特開２００３−７５１７４
【発明の開示】
【発明が解決しようとする課題】
【０００４】
オンボードでも通信カーナビでも、上記のようなハイウェイモード表示の際の問題点として、表示画面や貴重な時間という資源を活用する技術が存在しなかったため、これら資源が無駄になっていた点が挙げられる。すなわち、ハイウェイモードでの画面の様子といえば、ほぼ一本道の道路地図を延々と表示し、たまに情報表示の対象となる施設にしても、インターチェンジ、サービスエリアやパーキングエリア、ジャンクションなどに限られるため表示する情報は乏しく、一番近い施設の情報に加え、その先の施設、さらに次の施設といった具合に、現在位置とはかけ離れた情報まで表示する状態になりがちであった。また、アニメーション表示を行う場合にも、コンパクトな車載機の記憶容量の限界からデータ量も限られ、少ないバリエーションを繰返し表示する場合が多かった。
【０００５】
また、運転操作が単調で眠くなりがちな高速道路では、運転の安全の点からも、そのような情報の少ない単調な状態よりも、運転者に刺激を与えて覚醒レベルを改善することが望ましい。
【０００６】
さらに、通信カーナビでは、サーバシステムから携帯電話等の通信経由で道路地図データ、探索された経路やその他のデータを取り寄せるため、携帯電話などの通信会社（キャリア）への通信料金に加え、情報やサービスの提供元であるサーバシステムについても月額や従量などの料金が要り、ユーザ負担が大きくなる傾向にあった。
【０００７】
本発明は、上記のような従来技術の課題を解決するもので、その目的は、誘導案内の必要性が低い高速道路などで有益な情報を出力することにより、画面や時間などの資源を有効活用し安全性や経済性にも貢献するナビゲーションの技術を提供することである。
【課題を解決するための手段】
【０００８】
上記の目的を達成するため、請求項１の発明は、情報サーバと、前記情報サーバから所定の通信手段を用いて、少なくとも地図データを含むナビゲーション情報を取得するナビゲーション端末装置と、を含む通信ナビゲーションシステムにおいて、前記ナビゲーション端末装置が前記情報サーバに、誘導案内ポイントの間隔又は対象道路区間に設定された地図表示モードの属性情報から地図表示の必要性が低いと判断できる所定道路に関する情報を要求した場合、前記地図データ以外の少なくとも広告情報又は地域情報のいずれかを含む特定情報データをそのナビゲーション端末装置に送信する手段を、前記情報サーバがコンピュータにより実現することを特徴とする。
【０００９】
請求項２の発明は、情報サーバとの通信により、少なくとも地図データを含む所定のナビゲーション情報を取得するナビゲーション端末装置において、誘導案内ポイントの間隔又は対象道路区間に設定された地図表示モードの属性情報から地図表示の必要性が低いと判断できる道路を走行中である場合、前記情報サーバに対して前記地図データ以外の少なくとも広告情報又は地域情報のいずれかを含む特定情報データの送信を要求する手段を、コンピュータが実現することを特徴とする。
【００１０】
請求項３の発明は、コンピュータを用いて通信ネットワークを介して情報サーバからナビゲーション端末装置にデータを配信する通信ナビゲーション方法において、前記ナビゲーション端末装置から前記情報サーバに、対象道路区間のナビゲーション用の地図データを要求するデータ要求を送信するデータ要求ステップと、前記情報サーバにより、前記ナビゲーション端末装置から前記データ要求を受信した場合に、ナビゲーション用の地図データおよびそれ以外の特定情報データを記憶した記憶手段を用いて、この記憶手段に記憶されたデータの中から選択されたデータを配信データとしてナビゲーション端末装置に対して配信するデータ配信ステップと、前記ナビゲーション端末装置により、前記情報サーバから配信された前記配信データを表示データとして表示するデータ表示ステップと、前記データ要求ステップ後に前記情報サーバにより、または、前記データ配信ステップ後に前記ナビゲーション端末装置により、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択ステップと、を含む処理をコンピュータが行うことを特徴とする。
【００１１】
請求項１３の発明は、請求項３の発明をシステムという見方から捉えたもので、コンピュータを用いて通信ネットワークを介して情報サーバからナビゲーション端末装置にデータを配信する通信ナビゲーションシステムにおいて、前記ナビゲーション端末装置は、前記情報サーバに対して対象道路区間のナビゲーション用の地図データを要求するデータ要求を送信するデータ要求手段と、このデータ要求に応答して情報サーバから配信された配信データを表示データとして表示するデータ表示手段と、をコンピュータで実現し、前記情報サーバは、ナビゲーション用の地図データおよびそれ以外の特定情報データを記憶した記憶手段と、前記ナビゲーション端末装置から前記データ要求を受信した場合に、その記憶手段に記憶されたデータの中から選択されたデータを配信データとしてナビゲーション端末装置に対して配信するデータ配信手段と、をコンピュータで実現し、前記情報サーバまたは前記ナビゲーション端末装置は、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段を、コンピュータで実現する、ことを特徴とする。
【００１２】
本発明では、誘導案内や地図表示の内容が乏しく単調なハイウェイモードに切り替わるような高速道路走行中などでも、これから差し掛かる前途方向の店や地域などに関する広告情報や地域情報などユーザに有益な情報をサーバからナビゲーション端末装置にデータ送信し画面表示などで出力させるので、画面や時間などの資源が有効活用でき、運転者にも刺激を与え運転の安全も向上する。また、それら情報の提供者から広告料を徴収すれば、ユーザーが支払うサーバ使用料金が軽減できる。
【００１３】
請求項４の発明は、請求項３に記載の通信ナビゲーション方法において、前記データ配信ステップは、前記情報サーバにより、前記ナビゲーション端末装置に対し、前記ナビゲーション用の地図データおよび前記特定情報データの両方を前記配信データとして配信するステップを含み、前記判定選択ステップは、前記データ配信ステップ後に、前記ナビゲーション端末装置により、前記対象道路区間で表示するデータを選択するステップを含み、前記データ表示ステップは、前記ナビゲーション端末装置により、前記判定選択ステップで選択されたデータを前記表示データとして前記対象道路区間で表示するステップを含む、ことを特徴とする。
【００１４】
請求項１４の発明は、請求項４の発明をシステムという見方から捉えたもので、請求項１３に記載の通信ナビゲーションシステムにおいて、前記データ配信手段は、前記ナビゲーション端末装置に対し、前記ナビゲーション用の地図データおよび前記特定情報データの両方を前記配信データとして配信するように構成され、前記判定選択手段は、前記ナビゲーション端末装置に設けられており、前記対象道路区間で表示するデータを選択するように構成され、前記データ表示手段は、前記判定選択手段により選択されたデータを前記表示データとして前記対象道路区間で表示するように構成されている、ことを特徴とする。
【００１５】
請求項２１のナビゲーション端末装置は、請求項４，１４の発明をクライアントシステムという見方から捉えたもので、コンピュータを用いて通信ネットワークを介して情報サーバから配信されるデータを受信するナビゲーション端末装置において、前記情報サーバに対して対象道路区間のナビゲーション用の地図データを要求するデータ要求を送信するデータ要求手段と、前記データ要求に応答して、前記情報サーバから、ナビゲーション用の地図データおよびそれ以外の特定情報データを含むデータが配信される場合に、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段と、前記判定選択手段により選択されたデータを表示データとして前記対象道路区間で表示するデータ表示手段と、をコンピュータが実現することを特徴とする。
【００１６】
請求項２６のナビゲーションプログラムは、請求項４，１４，２１の発明をコンピュータプログラムという見方から捉えたもので、コンピュータを用いて通信ネットワークを介して情報サーバから配信されるデータを受信するナビゲーション端末装置に適用されるナビゲーションプログラムにおいて、前記情報サーバに対して対象道路区間の前記ナビゲーション用の地図データを要求するデータ要求を送信するデータ要求機能と、前記データ要求に応答して、前記情報サーバから、ナビゲーション用の地図データおよびそれ以外の特定情報データを含むデータが配信される場合に、予め設定された判定基準に従い、前記対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択機能と、前記判定選択手段により選択されたデータを表示データとして前記対象道路区間で表示するデータ表示機能、をコンピュータに実現させることを特徴とする。
【００１７】
特に、これらの態様では、区間の判定とこれに応じた地図データと特定情報データの選択を端末側で行う。このため、サーバ側では、端末側の区間や表示モードを確認することなく地図データと特定情報データを送信する単純な処理で足り、設計・実装・稼動・保守管理・変更等の負担や条件が有利になる。また、端末側では、区間の各種類や表示モードに対応するデータがそろって提供されるので、高速を乗ったり降りるなどの状況変化にも迅速に対応可能となる。
【００１８】
請求項５の発明は、請求項３に記載の通信ナビゲーション方法において、前記判定選択ステップは、前記データ要求ステップ後に、前記情報サーバにより、前記ナビゲーション端末装置に配信するデータを選択するステップを含み、前記データ配信ステップは、前記情報サーバにより、前記判定選択ステップで選択されたデータを前記配信データとして前記ナビゲーション端末装置に配信するステップを含む、ことを特徴とする。
【００１９】
請求項１５の発明は、請求項５の発明をシステムという見方から捉えたもので、請求項１３に記載の通信ナビゲーションシステムにおいて、前記判定選択手段は、前記情報サーバに設けられており、前記ナビゲーション端末装置に配信するデータを選択するように構成され、前記データ配信手段は、前記判定選択手段により選択されたデータを前記配信データとして前記ナビゲーション端末装置に配信するように構成されている、ことを特徴とする。
【００２０】
請求項２２の情報サーバは、請求項５，１５の発明をサーバシステムという見方から捉えたもので、コンピュータを用いて通信ネットワークを介してナビゲーション端末装置にデータを配信する情報サーバにおいて、ナビゲーション用の地図データおよびそれ以外の特定情報データを記憶した記憶手段と、前記ナビゲーション端末装置から対象道路区間の前記ナビゲーション用の地図データを要求するデータ要求を受信した場合に、予め設定された判定基準に従い、その対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択手段と、前記判定選択手段により選択されたデータを配信データとして前記ナビゲーション端末装置に配信するデータ配信手段と、をコンピュータが実現することを特徴とする。
【００２１】
請求項２７の発明は、請求項４，１５，２２の発明をコンピュータプログラムという見方から捉えたもので、コンピュータを用いて通信ネットワークを介してナビゲーション端末装置にデータを配信する情報サーバに適用されるサーバプログラムにおいて、ナビゲーション用の地図データおよびそれ以外の特定情報データを記憶した記憶手段を用いて、前記ナビゲーション端末装置から対象道路区間の前記ナビゲーション用の地図データを要求するデータ要求を受信した場合に、予め設定された判定基準に従い、その対象道路区間が、地図表示の必要な地図表示区間と地図表示を省略可能な地図省略区間のいずれであるかを判定して、地図表示区間の場合には前記ナビゲーション用の地図データを選択し、地図省略区間の場合には前記特定情報データを選択する判定選択機能と、前記判定選択機能により選択されたデータを配信データとして前記ナビゲーション端末装置に配信するデータ配信機能、をコンピュータに実現させることを特徴とする。
【００２２】
特に、これらの態様では、区間の判定とこれに応じた地図データと特定情報データの選択をサーバ側で行う。このため、それら判定や選択の基準やアルゴリズムなどの変更を、多数の端末側の改修やプログラム更新無しで、サーバ側のみで容易に実施できる。また、端末側では、各時点の区間や表示モードに対応するデータのみがサーバから提供されるので、それを表示する単純な処理で足り、設計・実装・稼動・保守管理・変更等の負担や条件が有利になり、また、従量課金の場合の通信料金も節約できる。
【００２３】
請求項６の発明は、請求項５に記載の通信ナビゲーション方法において、前記ナビゲーション端末装置から前記情報サーバに、前記対象道路区間が前記地図表示区間と前記地図省略区間のいずれであるかを示す区間情報を送信する区間情報送信ステップを含み、前記判定選択ステップは、前記情報サーバにより、前記ナビゲーション端末装置から前記区間情報を受信した場合に、この区間情報に基づいて、前記対象道路区間が前記地図表示区間と前記地図省略区間のいずれであるかを判定するステップを含む、ことを特徴とする。
【００２４】
請求項１６の発明は、請求項６の発明をシステムという見方から捉えたもので、請求項１５に記載の通信ナビゲーションシステムにおいて、前記ナビゲーション端末装置は、前記情報サーバに対して、前記対象道路区間が前記地図表示区間と前記地図省略区間のいずれであるかを示す区間情報を送信する区間情報送信手段を前記コンピュータで実現し、前記判定選択手段は、前記情報サーバに設けられており、前記ナビゲーション端末装置から前記区間情報を受信した場合に、この区間情報に基づいて、前記対象道路区間が前記地図表示区間と前記地図省略区間のいずれであるかを判定するように構成されている、ことを特徴とする。
【００２５】
請求項２３の発明は、請求項６，１６の発明をサーバシステムという見方から捉えたもので、請求項２２に記載の情報サーバにおいて、前記判定選択手段は、前記ナビゲーション端末装置から前記対象道路区間が前記地図表示区間と前記地図省略区間のいずれであるかを示す区間情報を受信した場合に、この区間情報に基づいて、前記対象道路区間が前記地図表示区間と前記地図省略区間のいずれであるかを判定するように構成されている、ことを特徴とする。
【００２６】
請求項２８の発明は、請求項６，１６，２３の発明をコンピュータプログラムという見方から捉えたもので、請求項２７に記載のサーバプログラムにおいて、前記判定選択機能は、前記ナビゲーション端末装置から前記対象道路区間が前記地図表示区間と前記地図省略区間のいずれであるかを示す区間情報を受信した場合に、この区間情報に基づいて、前記対象道路区間が前記地図表示区間と前記地図省略区間のいずれであるかを判定する機能を含む、ことを特徴とする。
【００２７】
特に、これらの態様では、端末からの区間情報に基づいてサーバ側で区間の判定とこれに応じたデータの選択を行う。このため、端末側から、具体的な自車位置やユーザの指定入力などに基づいて区間情報の値を切り替えることにより、配信や表示をするデータを正確かつ容易に選択可能となる。
【００２８】
請求項７の発明は、請求項６に記載の通信ナビゲーション方法において、前記データ要求ステップは、前記区間情報送信ステップを含む、ことを特徴とする。
【００２９】
請求項１７の発明は、請求項７の発明をシステムという見方から捉えたもので、請求項１６に記載の通信ナビゲーションシステムにおいて、前記データ要求手段は、前記区間情報送信手段を含む、ことを特徴とする。
【００３０】
請求項８の発明は、請求項７に記載の通信ナビゲーション方法において、前記データ要求は、前記区間情報を含む、ことを特徴とする。
【００３１】
請求項１８の発明は、請求項８の発明をシステムという見方から捉えたもので、請求項１７に記載の通信ナビゲーションシステムにおいて、前記データ要求は、前記区間情報を含む、ことを特徴とする。
【００３２】
請求項２４の発明は、請求項２３に記載の情報サーバにおいて、前記データ要求は、前記区間情報を含む、ことを特徴とする。
【００３３】
請求項２９の発明は、請求項７，１７，８，１８の発明をコンピュータプログラムという見方から捉えたもので、請求項２８に記載のサーバプログラムにおいて、前記データ要求は、前記区間情報を含む、ことを特徴とする。
【００３４】
特に、これらの態様では、端末からデータ要求の時点で区間情報をサーバへ送るので、サーバから改めて区間情報を端末に要求するまでもなく、迅速に地図データ又は特定情報データの配信が可能となる。
【００３５】
請求項９の発明は、請求項６に記載の通信ナビゲーション方法において、前記情報サーバにより、前記ナビゲーション端末装置から前記データ要求を受信した場合に、そのナビゲーション端末装置に対して前記区間情報の確認要求を送信する確認要求ステップを含み、前記区間情報送信ステップは、前記ナビゲーション端末装置により、前記情報サーバから前記確認要求を受信した場合に、その情報サーバに対して前記区間情報を送信するステップを含む、ことを特徴とする。
【００３６】
請求項１９の発明は、請求項９の発明をシステムという見方から捉えたもので、請求項１６に記載の通信ナビゲーションシステムにおいて、前記情報サーバは、前記ナビゲーション端末装置から前記データ要求を受信した場合に、そのナビゲーション端末装置に対して前記区間情報の確認要求を送信してナビゲーション端末装置から区間情報を取得する確認要求手段を前記コンピュータで実現し、前記区間情報送信手段は、前記情報サーバから前記確認要求を受信した場合に、その情報サーバに対して前記区間情報を送信するように構成されている、ことを特徴とする。
【００３７】
請求項２５の発明は、請求項９，１９の発明をサーバシステムという見方から捉えたもので、請求項２３に記載の情報サーバにおいて、前記ナビゲーション端末装置から前記データ要求を受信した場合に、そのナビゲーション端末装置に対して前記区間情報の確認要求を送信してナビゲーション端末装置から区間情報を取得する確認要求手段、を前記コンピュータで実現することを特徴とする。
【００３８】
請求項３０の発明は、請求項９，１９，２５の発明をコンピュータプログラムという見方から捉えたもので、請求項２８に記載のサーバプログラムにおいて、前記ナビゲーション端末装置から前記データ要求を受信した場合に、そのナビゲーション端末装置に対して前記区間情報の確認要求を送信してナビゲーション端末装置から区間情報を取得する確認要求機能、をコンピュータに実現させることを特徴とする。
【００３９】
特に、これらの態様では、サーバが端末への確認要求により端末から区間情報を取得するので、本発明の機能を利用しない端末は対象から除外するなどにより、ユーザの負担する通信所要時間や従量課金データ通信料金を無駄に増大させることが無い。
【００４０】
請求項１０の発明は、請求項３から９のいずれか一項に記載の通信ナビゲーション方法において、前記特定情報データは、広告情報、地域情報、の少なくとも一方を含むデータである、ことを特徴とする。
【００４１】
請求項２０の発明は、請求項１０の発明をシステムという見方から捉えたもので、請求項１３から１９のいずれか一項に記載の通信ナビゲーションシステムにおいて、前記特定情報データは、広告情報、地域情報、の少なくとも一方を含むデータである、ことを特徴とする。
【００４２】
特に、これらの態様では、広告情報の配信・表示により、広告主から広告料を徴収しユーザーが支払うサーバ使用料金の軽減や、サービスの充実を図ることができる。地域情報の場合はさらに、前途方向所定の距離や時間の範囲内のものを配信・表示することによりユーザの観光等の便宜に優れ地域振興に貢献可能となる。
【００４３】
請求項１１の発明は、請求項１０記載の通信ナビゲーション方法において、前記広告情報は、自車位置の前途方向所定範囲内に位置する個別具体的事業における、得意な商品もしくはサービスのアピール、通常よりも有利な条件による商品もしくはサービスの提供のアピール、又は、特定の期間もしくは顧客類型に限定の商品もしくはサービスのアピールであることを特徴とする。
【００４４】
特に、この態様では、これから差し掛かる範囲の飲食店、商業施設、娯楽施設等について広告を配信・表示することにより、車両のユーザのさまざまな需要に応え取引機会を効果的に増大させることができる。
【００４５】
請求項１２の発明は、請求項１０又は１１記載の通信ナビゲーション方法において、前記地域情報は、自車位置の前途方向所定範囲内に位置する所定の地域又は名勝旧跡における、見どころ・物産もしくはサービス、又は催事に関するアピールであることを特徴とする。
【００４６】
特に、この態様では、これから差し掛かる地域や名勝旧跡について情報を配信・表示することにより、車両のユーザの地域に関する情報収集や観光の便宜を拡充し地域経済の効果的な振興も可能となる。
【発明の効果】
【００４７】
以上のような本発明によれば、誘導案内の必要性が低い高速道路などで有益な情報を出力することにより、画面や時間などの資源を有効活用し安全性や経済性にも貢献するナビゲーションの技術を提供することができる。
【発明を実施するための最良の形態】
【００４８】
次に、本発明を実施するための最良の実施形態について、図面を参照して説明する。
〔１．構成〕
本実施形態は、図１の構成図に示すように、コンピュータを用いて通信ネットワークＮ（例えばインターネットや携帯電話ＩＰ網など）を介して、ナビゲーション端末装置Ｃ（以下「車載機」や「端末」とも呼ぶ）が情報サーバＳから、地図データや経路データなどのデータを配信を受けて取得する通信ナビゲーションシステムである。
【００４９】
まず、車載機Ｃは、それを使う車両ごとにあり、情報サーバＳと通信し情報を取得するための携帯電話や通信カード等の通信手段１と、システム全体の制御を司るメインＣＰＵ及びその周辺回路２と、通信手段１で取得した情報を記憶するためのシンクロナスダイナミックＲＡＭ（ＳＤＲＡＭ）、ハードディスクドライブ（ＨＤＤ）などを用いた情報記憶装置３と、データ等の情報を描画し画面表示する表示装置４と、そのためのＶＲＡＭ（ビデオＲＡＭ）５を備える。表示装置４はタッチパネルにより入力装置を兼ねてもよい。
【００５０】
車載機Ｃと情報サーバＳは、周辺装置を備えたコンピュータをプログラムで制御することにより、図１に示す各機能部（符号１１〜１４，２１〜２４）を実現し、これら各機能部はそれぞれ、以下に説明する作用を果たす手段である。
【００５１】
〔２．作用効果〕
〔２−１．作用効果の概略〕
概略としては、車載機Ｃのデータ要求部１１は、情報サーバＳに対して対象道路区間のナビゲーション用の地図データを要求するデータ要求を送信する（データ要求ステップ）。車載機Ｃのデータ表示部１２は、このデータ要求に応答して情報サーバＳから配信された配信データを表示データとして表示装置４に表示する（データ表示ステップ）。
【００５２】
情報サーバＳの情報記憶手段２１は、ナビゲーション用の地図データおよびそれ以外の特定情報データ（例えば、広告情報又は地域情報）を予め記憶し、情報サーバＳのデータ配信部２２は、車載機Ｃから前記データ要求を受信した場合に、その情報記憶手段２１に記憶されたデータの中から選択されたデータを配信データとして車載機Ｃに対して配信する（データ配信ステップ）。
【００５３】
判定選択部１３又は２３は、車載機Ｃ又は情報サーバＳのいずれか一方にあればよく、予め設定された判定基準に従い、前記対象道路区間が、地図表示の必要な地図表示区間と地図表示を省略可能な地図省略区間のいずれであるか、すなわち車載機Ｃの表示モードが通常モードかハイウェイモードかを判定して、配信又は表示の対象として、地図表示区間の場合には前記ナビゲーション用の地図データを選択し、地図省略区間の場合には前記特定情報データを選択する処理（判定選択ステップ。以下「判定選択」と呼ぶ）を行う。
【００５４】
このような本実施形態では、誘導案内や地図表示の内容が乏しく単調なハイウェイモードに切り替わるような高速道路走行中などでも、これから差し掛かる前途方向の店や地域などに関する広告情報や地域情報などユーザに有益な情報をサーバからナビゲーション端末装置にデータ送信し画面表示などで出力させるので、画面や時間などの資源が有効活用でき、運転者にも刺激を与え運転の安全も向上する。また、それら情報の提供者から広告料を徴収すれば、ユーザーが支払うサーバ使用料金が軽減できる。
【００５５】
ここで、地図省略区間は、ハイウェイモードとなるような高速道路等の所定道路であり、対象道路区間の判定基準としては、例えば、前途所定距離（例えば１０ｋｍ、２０ｋｍなど）内の誘導案内ポイントの間隔が所定値以上の場合に地図省略区間と判断したり、又は、地図データ中の対象道路区間のデータに予め設定された地図表示モードの属性情報から直接、地図表示の必要性が低い地図省略区間であることを判断してもよい。
【００５６】
上記のような判定選択を、情報サーバＳ側で行うか車載機Ｃ側で行うかなどの具体的態様は、以下のようにいくつか考えられる。
【００５７】
〔２−２．車載機での判定選択〕
図２のフローチャートは、車載機Ｃ側に判定選択部１３があって判定選択を行う例である。この場合、車載機Ｃのデータ要求部１１からデータ要求があると（ステップ２１）、情報サーバＳは、車載機Ｃの表示モードにかかわらず、地図データとともに情報データも（つまり両方を）車載機Ｃへ配信する（ステップ２２）。車載機Ｃでは、配信された地図データと情報データを情報記憶装置３に格納し（ステップ２３）、配信を受けた後で判定選択部１３が判定選択により（ステップ２４）表示モードがハイウェイモードでなく通常モードなら地図データ（ステップ２５）、ハイウェイモードなら情報データ（ステップ２６）を表示対象として選択し、選択されたデータをデータ表示部１２が表示装置４に表示する。
【００５８】
このように、区間の判定とこれに応じた地図データと特定情報データの選択を端末側で行うようにすれば、サーバ側では、端末側の区間や表示モードを確認することなく地図データと特定情報データを送信する単純な処理で足り、設計・実装・稼動・保守管理・変更等の負担や条件が有利になる。また、端末側では、区間の各種類や表示モードに対応するデータがそろって提供されるので、高速を乗ったり降りるなどの状況変化にも迅速に対応可能となる。
【００５９】
〔２−３．情報サーバでの判定選択〕
また、車載機Ｃ側から情報サーバＳへ特定情報データの送信を要求してもよい。これには様々な実現態様が考えられるが、図３のフローチャートは、情報サーバＳ側に判定選択部２３があって、車載機Ｃからデータ要求とともに送られた情報に基づいて配信データの判定選択を行う例である。
【００６０】
この場合、車載機Ｃのデータ要求部１１から情報サーバＳへのデータ要求とともに、車載機Ｃの区間情報送信部１４が、表示モードなどの区間情報を送る（ステップ３１。区間情報送信ステップ）。区間情報は、対象道路区間が地図表示区間か表示省略区間かの別、又は、現在の表示モードが通常モードかハイウェイモードかの別のうち少なくとも一方を表す情報で、具体的には自由に定めてよい。情報サーバＳの判定選択部２３は、この区間情報に基づいて配信前に判定選択を行い（ステップ３２）、ハイウェイモード表示でなければ地図データ（ステップ３３）、ハイウェイモード表示なら情報データを（ステップ３４）配信データとして選択する。
【００６１】
車載機Ｃは、このように表示モードに応じて配信された地図データ又は情報データを情報記憶装置３に格納し（ステップ３５）、そのデータをデータ表示部１２が表示装置４に表示する（ステップ３６）。
【００６２】
このように、区間の判定とこれに応じた地図データと特定情報データの選択をサーバ側で行うようにすれば、それら判定や選択の基準やアルゴリズムなどの変更を、多数の端末側の改修やプログラム更新無しで、サーバ側のみで容易に実施できる。また、端末側では、各時点の区間や表示モードに対応するデータのみがサーバから提供されるので、それを表示する単純な処理で足り、設計・実装・稼動・保守管理・変更等の負担や条件が有利になり、また、従量課金の場合の通信料金も節約できる。
【００６３】
特に、端末からの区間情報に基づいてサーバ側で区間の判定とこれに応じたデータの選択を行うので、端末側から、具体的な自車位置やユーザの指定入力などに基づいて区間情報の値を切り替えることにより、配信や表示をするデータを正確かつ容易に選択可能となる。また、端末からデータ要求の時点で区間情報をサーバへ送ることにより、サーバから改めて区間情報を端末に要求するまでもなく、迅速に地図データ又は特定情報データの配信が可能となる。
【００６４】
〔２−４．確認要求による場合〕
次に、図４のフローチャートは、表示モードなどの区間情報を情報サーバＳから車載機Ｃへ問い合わせる例である。この場合、車載機Ｃのデータ要求部１１が情報サーバＳに地図データ要求を行った際に（ステップ４１）、情報サーバＳと車載機Ｃとの間で通信によりハンドシェイクを行い、情報サーバＳの確認要求部２４が車載機Ｃへ前記区間情報の確認要求を送信し（ステップ４２。確認要求ステップ）、車載機Ｃの区間情報送信部１４が情報サーバＳへ送信する（ステップ４３）表示モード等の区間情報に基づいて、情報サーバＳの判定選択部２３が配信前に判定選択を行い（ステップ４４）、ハイウェイモード表示でなければ地図データ（ステップ４５）、ハイウェイモード表示なら情報データを（ステップ４６）配信データとして選択する。車載機Ｃのデータ表示部１２は、このように表示モードに応じて配信された地図データ又は情報データを表示装置４に表示する。
【００６５】
〔２−５．特定情報データの例〕
また、以上のように表示される特定情報データは、広告情報、地域情報、の少なくとも一方を含み、広告情報は、例えば、自車位置の前途方向所定範囲内に位置する個別具体的事業における、得意な商品もしくはサービスのアピール、通常よりも有利な条件による商品もしくはサービスの提供のアピール、又は、特定の期間もしくは顧客類型に限定の商品もしくはサービスのアピールである。
【００６６】
すなわち、これから差し掛かる範囲の飲食店、商業施設、娯楽施設等について、例えば「○○高速○○市付近走行中のお客様へ  名物○○○○○なら○○○インター降りて○○方面２００ｍ○○亭！今月限定、この広告を見てご来店のお客様１割引！お問合せは○○亭電話0120-XXXXXX」のような広告を配信・表示することにより、車両のユーザのさまざまな需要に応え取引機会を効果的に増大させることができる。
【００６７】
また、地域情報は、自車位置の前途方向所定範囲内に位置する所定の地域又は名勝旧跡における、見どころ・物産もしくはサービス、又は催事に関するアピールである。
【００６８】
すなわち、これから差し掛かる地域や名勝旧跡について、例えば「○○自動車道○○市付近走行中のお客様へ  映画○○○の舞台にもなった港と坂と文学のまち○○市ではただいま○○○公園の桜が満開です！足を伸ばしてみませんか。  お問合せは○○市観光協会0848-XX-XXXX」のような情報を配信・表示することにより、車両のユーザの地域に関する情報収集や観光の便宜を拡充し地域経済の効果的な振興も可能となる。
【００６９】
〔３．他の実施形態〕
なお、本発明は上記実施形態に限定されるものではなく、次に例示するようなものやそれ以外のものを含む他の実施形態も含むものである。例えば、本発明は、通信ナビゲーションシステムとしてだけでなく他のカテゴリー、例えば情報サーバ、車載機（ナビゲーション端末装置）、通信ナビゲーション方法、車載機のナビゲーションプログラム、情報サーバのサーバプログラムとしても把握できるので、それらはそれぞれ単独でも本発明の一態様である。また、車載機Ｃの判定選択部１３や情報サーバＳの判定選択部２３はいずれか一方でもよいし、両方設けて稼動条件や車載機Ｃの機種、ユーザの選択などに応じて使い分けてもよい。また、区間情報送信部１４や確認要求部２４は、用いない実装例では省略可能である。
【図面の簡単な説明】
【００７０】
【図１】本発明の実施形態の構成を示すブロック図。
【図２】本発明の実施形態において判定選択を車載機側で行う場合の処理手順を示すフローチャート。
【図３】本発明の実施形態において判定選択をサーバ側で行う場合の処理手順を示すフローチャート。
【図４】本発明の実施形態において判定選択を確認要求に基づきサーバ側で行う場合の処理手順を示すフローチャート。
【符号の説明】
【００７１】
Ｃ…ナビゲーション端末装置（車載機）
１…通信手段
２…メインＣＰＵ及びその周辺回路
３…情報記憶装置
４…表示装置
５…ビデオＲＡＭ（ＶＲＡＭ）
１１…データ要求部
１２…データ表示部
１３…判定選択部
１４…区間情報送信部
Ｓ…情報サーバ
２１…情報記憶装置
２２…データ配信部
２３…判定選択部
２４…確認要求部
Ｎ…通信ネットワーク
【図１】
2005265715.tif 000003
【図２】
2005265715.tif 000004
【図３】
2005265715.tif 000005
【図４】
2005265715.tif 000006